(57)【要約】  【課題】  前後一対の板の内外壁に強い明暗対比を付けるとともに、周辺にソフトな暈光を形成することより、輪郭を現し、立体感を出すクリスマス装飾ライトを提供する。  【解決手段】  クリスマス装飾ライト１０は、前側造形板１と、前側造形板１と一定の空間を保ち、平行に配置する後側造形板２と、前側造形板１と後側造形板２の間に複数の保持部材３を設置し、これら保持部材３に挟み固定される複数の発光体４と、前側造形板１と後側造形板２の下部を挿入固定する台座５とにより構成し、造形板１、２の輪郭造形を、造形板１、２の中で光を遮蔽し、屈折することにより、明暗対比を付けて強調する。【選択図】  図１
0003111635.tif 000002
【実用新案登録請求の範囲】
【請求項１】
前側造形板と、
前記前側造形板との間に一定の空間を保ち、略平行に配置された後側造形板と、
前記前側造形板と前記後側造形板との間に複数の保持部材が設置され、これらの保持部材に固定された発光体と、
前記前側造形板と前記後側造形板の下部を固定する台座とを備えたことを特徴とするクリスマス装飾ライト。
【請求項２】
前側造形板と後側造形板に光透かし孔が設けられる請求項１に記載のクリスマス装飾ライト。
【請求項３】
台座の上面に各造形板の下部を挿着可能な取付溝が設けられる請求項１に記載のクリスマス装飾ライト。
【請求項４】
前側造形板と後側造形板の下部に挿入棒を有し、台座の上面に前記挿入棒を挿入して、前記各造形板を固定する挿入孔が設けられる請求項１に記載のクリスマス装飾ライト。
【請求項５】
前側造形板と後側造形板の下部に挿入棒を有し、台座は縦横に交差した２本の部材から成り、その一方の部材の中央部に、前側造形板と後側造形板の下部の挿入棒を挿入固定するための挿入孔が設けられる請求項１に記載のクリスマス装飾ライト。
【請求項６】
前側造形板と後側造形板の下部にそれぞれ、凸状部及びその両端から離される補助突起が一列にして設けられ、台座は前側造形板と後側造形板の凸状部及び補助突起が各別に挿入固定される２列の挿入溝及びその両端から離される補助挿入孔が設けられる請求項１に記載のクリスマス装飾ライト。
【請求項７】
台座の底部開口が底蓋で密閉される請求項１に記載のクリスマス装飾ライト。
【請求項８】
台座は、前側造形板と後側造形板の下部を固定するための２つの挟み台から成る請求項１に記載のクリスマス装飾ライト。
【考案の詳細な説明】
【技術分野】
【０００１】
本考案は、一対の飾り板（造形板）の輪郭造形を、一対の飾り板の中で光を遮蔽し、屈折することにより、明暗対比を付けて強調するクリスマス装飾ライトに関する。
【背景技術】
【０００２】
従来のこの種の照明装置が特許文献１、特許文献２に開示されている。特許文献１の技術では、ライトを飾る前に、後方にある二つの外殻を予め穿孔する。殻内にある発光体を通電発光させて、光芒を穿孔から外へ射出すると、装飾ライトの両側に多数の光孔が出現し、特殊な装飾効果を生み出すようになっている。また、特許文献２の技術では、同じ造形の前後にある一対の網状の光透かし板部を対称配置する形式で、一対の網状の光透かし板部の間に挟み固定する数個の発光体を放置し、網状の光透かし板部の板面に数個の透かし網目を開ける。発光体の通電発光時、光芒は網状の光透かし板部の網目及び一対の網状の光透かし板部の周縁から外へ投射することより、照明装置に光孔が出現し、また輪郭造形もかすかに見えるようになっている。
【特許文献１】実用新案登録第３０７７９０５号  照明装置
【特許文献２】実用新案登録第３０９５８４０号  装飾ライト
【考案の開示】
【考案が解決しようとする課題】
【０００３】
しかしながら、特許文献１の技術では、照明装置の前後にある二つの外殻の四つの周辺は密封されるので、照明装置内部の発光体の発光時、光線は孔から射出するのみで、光は周辺部から通せない。このため、輪郭造形は強調されず、立体感は現れない。また、特許文献２の技術では、装飾ライトの前後にある一対の網状の光透かし板部は、数個の透かし網目を開けたプラスチック網板が利用されるため、大部分の光線は網目から外へ射出し、一部の余光は一対の網状の光透かし板部の四つの周辺の、密封されていない辺縁から投射されるものの、その光芒が弱いので、光線の黒白対比も弱く、現れた輪郭もはっきりしないので、立体感は良くない。さらに、各文献１、２の技術の場合、光線は網目から直接外へ射出し、観察時直射光線があるので、目が刺激されて眩むようになる。
【０００４】
本考案は、このような従来の課題に鑑みなされたもので、前後一対の板の内外壁に強い明暗対比を付けるとともに、周辺にソフトな暈光を形成することより、輪郭を現し、立体感を出すクリスマス装飾ライトを提供すること、を目的とする。
【課題を解決するための手段】
【０００５】
上記課題を解決するために、本考案のクリスマス装飾ライト１０は、一枚の造形前板１と、一枚の造形前板１と一定した空間を保ち、かつ平行して設置する造形後板２と、前板と後板の間に数個の定位単元（保持部材）３を設置し、これらの定位単元（保持部材）に挟み固定される発光体４と、一枚の造形前板１と造形後板２の底部を挿入固定される台座５とを含むものである。また数個の発光体４はコード４１で繋ぐ。
【０００６】
また、このクリスマス装飾ライトの特に造形前板及び造形後板と台座は次のような構成を採用することが好ましい。造形前板１及び造形後板２の平板に光透かし孔１４、２５が設けられ、台座５は平行錘の上に、造形前板１と造形後板２の底部を挿入固定するため、二本の平行定位槽５０１を設置することが好ましい。また、台座５１は平行錘の上に、造形前板１と造形後板２の底部に設置される挿入棒６を挿入固定するため、挿入孔５１１を設置するようにしてもよい。また、台座５は二本の縦横に交差した長方形の平行棒５２から成り、その一本の平行棒中央部に、造形前板１と造形後板２の底部に設置される挿入棒６を挿入固定するため、挿入孔５２１を設置するようにしてもよい。さらに、台座５３は二つの平行挿入槽５３１及び挿入槽の両側に補助挿入孔５３２が設けられ、その平行挿入槽５３１及び補助挿入孔５３２は、造形前板１と造形後板２の底部に設置される凸板１２と２３及び補助挿入板１３と２４を別々に挿入固定するようにしてもよい。この場合、台座５３の底部開口を底蓋５３３で密閉することが好ましい。またさらに、台座５４は、造形前板１と造形後板２の底部を垂直固定するため、二つの平行挟み台５４ａと５４ｂとにより構成してもよい。
【考案の効果】
【０００７】
本考案の装置は、上記構成を有し、次のような格別な効果を奏する。
１．クリスマス装飾ライト１０は夜間において、造形前板（前側造形板）１と造形後板（後側造形板）２を利用して、一対の板の間にある発光体３の光線を遮蔽することより、一対の板１と２の外壁は暗色になるが、一対の板１と２の内壁は屈折により明るい色を示す。
２．光線が一対の板１と２の周辺にある枠を通した後、ソフトな暈光を形成する。観賞者は装飾ライトの前方或いは後方から観賞しても、一対の板１と２の内外壁に明暗対比が形成され、また周辺にある枠は暈光状態で、輪郭造形が簡単に現れ、立体感効果が得られる。３．前後の一対の板に、輪郭造形に影響を与えない、光線が射出するための光透かし孔１４、２５が設けられ、光透かし孔の形はピンホールや葉脈の筋の形をしているので、光線が射出した後、細かい筋を現す。
４．クリスマス装飾ライト１０の分解と組立は簡単で、分解しても空間を取らないため、包装や運輸に適し、組立もとても楽で迅速である。
５．台座５、５１、５２、５３、５４は異なる造形のクリスマス装飾ライト１０に適合し、クリスマス装飾ライト１０を挿入設置後、安定かつ直立できるため、多種類の構造を用意している。
【考案を実施するための最良の形態】
【０００８】
以下、本考案の実施の形態を図面を参照しながら説明する。図1乃至図７に本考案の第１の実施の形態を示している。図１に示すように、クリスマス装飾ライト１０は、一枚の前側造形板１と、一枚の前側造形板１と一定の空間を保ちながら平行して配置する後側造形板２と、前側造形板１と後側造形板２の間に複数の保持部材３を設置し、これら保持部材３に挟み固定される複数の発光体４と、一枚の前側造形板１と後側造形板２の下部を挿入固定する台座５とを含む。また各発光体４はコード４１で繋ぐ。組立後の外観を図４に示す。
【０００９】
前側造形板１の平板はカッティング加工を経て形成された、美感に富む装飾板で、平板には装飾用の光透かし孔１４が設けられ、また、内壁に先端に凹部を有する複数の管状部材１１が設置される。後側造形板２の構造と形は前側造形板１と同じで、平板には装飾用の光透かし孔２５が設けられ、内壁に先端に凸部を有する複数の管状部材２１、さらに固定軸２２が設置される。図２に示すように、前側造形板１の管状部材１１と後側造形板２の管状部材２１が嵌合されて固定され、前側造形板１と後側造形板２は一定した空間を保ちながら平行して設置される。
【００１０】
保持部材３は、図３に示すように、Ｃ字型のプラスチックスナップリングで、保持部材３の底面には固定軸挿入口３１が設けられ、この固定軸挿入口３１と後側造形板２の固定軸との嵌合により直ちに固定される。
【００１１】
発光体４はよく見られるクリスマスランプを用いるが、一般ランプ、ＬＥＤ、混色ＬＥＤ、ＳＭＤ、ＥＬ、ネオンライトでも差し支えない。各発光体４間はコード４１で繋ぎ、コードの先端にプラグ４２が設けられる。
【００１２】
台座５は細長い棒材又は板材で、その上に前側造形板１と後側造形板２の底辺（下部）を挿着して固定するための、２本の平行な取付溝５０１が設けられる。
【００１３】
図５、図６に示すように、前側造形板１と後側造形板２を組み立てることにより、各板１、２の内壁の管状部材１１、２１によって一定した距離を保ち、両板１、２の底辺は台座５の２本の平行な取付溝５０１内に平行に挿入され、取付溝５０１の一対の挟み壁に挟まれて安定した直立の状態となる。また、保持部材３は固定軸２２が固定軸挿入孔３１に嵌合され、発光体４は保持部材３の挟み口の中に嵌合されて保持される。
【００１４】
このようにして発光体４を発光させると、光線は前側造形板１と後側造形板２に阻害され、光線は通せないため、両板１、２の内壁の間だけを屈折して、前側造形板１と後側造形板２の周辺及び光透かし孔１４から射出するため、前側造形板１と後側造形板２の外壁は遮光状態で暗色になるが、一対の板１、２の内壁は光の屈折により明るい色を呈する。内外両壁の明暗対比が顕着であるので、クリスマス装飾ライト１０の外形は、夜間において、図１４及び図１５に示すように、顕着な輪郭を現し、立体感のある視覚が得られる。
【００１５】
図７に異なる造形板のクリスマス装飾ライトを示している。前側造形板１と後側造形板２は全て平板であるので、例えばジングルベルやトナカイ、サンタクロース、雪だるま、宗教のトーテム、挿絵等、図案や造形を変化させてもよく、或いはＭｅｒｒｙ  Ｃｈｒｉｓｔｍａｓ、Ｈａｐｐｙ  Ｎｅｗ  Ｙｅａｒ、指標、スロ―ガン等の異なる文字に変えてもよく、光と影により重なり合い及び遠近の立体感を生じさせ、目立つ装飾効果を達成する。
【００１６】
図８に本考案の第２の実施の形態を示している。クリスマス装飾ライトの大きさ、高さ、及び長さと幅は異なる図案と造形によって変化するので、これを支持する台座もまた適宜変更する必要がある。第２の実施の形態では、クリスマス装飾ライト１０は高度がより高い大型のもので、前側造形板１と後側造形板２の底部（下部）に挿入棒６が設けられる。これに採用する台座５１は円形に形成され、その中心部に挿入孔５１１が設けられる。このようにして前側造形板１と後側造形板２の底部にある挿入棒６を台座５１の挿入穴５１１に挿入することにより、前側造形板１と後側造形板２は台座５１の上に固く固定される。また、台座５１は二本の長方形の平行棒５２が縦横に十字形を交差して構成され、その一本の長方形の平行棒の中央部に挿入棒６を挿入固定するための挿入孔５２１が設けられてもよい。挿入完成後の外観を図９に示す。このようにすることにより、前側造形板１及び後側造形板２を支える面積を広げながら、台座５の体積を減らすことができる。
【００１７】
図１０及び図１１に本考案の第３の実施の形態を示している。第１、第２の実施の形態では、台座５に棒材又は板材など、中が詰まった充実部材が使用されているが、この実施の形態では、台座５３に射出成型により形成された中空の薄いプラスチック殻が採用される。この場合、前側造形板１と後側造形板２の底辺にそれぞれ、凸状部１２、２３及びその両端から離される補助突起１３、２４が設けられ、台座５３の頂面に２列平行に、挿入溝５３１及びその両端から離される補助挿入孔５３２が設けられる。このようにして前側造形板１と後側造形板２の凸状部１２、２３を台座５３の２本の平行な挿入溝５３１に挿入するとともに、補助突起１３、２４を補助挿入孔５３２に挿入することにより、前側造形板１と後側造形板２が台座５３に組み付けられる。この台座５３の場合、底部開口を底蓋５３３で密閉することで、美観を向上し、ユーザーの怪我を防止することができる。
【００１８】
図１２及び図１３に本考案の第４の実施の形態を示している。この実施の形態では、台座５４は２つの挟み台５４ａ、５４ｂからなり、各挟み台５４ａ、５４ｂは、一つの細長い長方形のブロック５４１と、このブロック５４１に挿着される一つの挟持形式のホルダー５４２とにより構成される。２つの挟み台５４ａ、５４ｂは平行に設置され、前側造形板１と後側造形板２の底部が台座５４に直角に交差して挟み固定される。
【００１９】
図１４及び図１５には、クリスマス装飾ライト１０の発光時の光と影を示している。図１４は正面から見たもので、図１５は斜めから見たものである。このクリスマス装飾ライト１０では、夜間において、前側造形板１と後側造形板２で、一対の板１、２の間にある発光体３の光線が遮蔽されて、一対の板１、２の外壁は暗色になるが、一対の板１、２の内壁は光の屈折により明るい色を示す。また、光線は一対の板１、２の周辺にある枠を通されて、ソフトな暈光を形成する。観賞者はクリスマス装飾ライト１０の前方或いは後方から観賞しても、一対の板１、２の内外壁に明暗対比を形成し、また周辺にある枠は暈光により、輪郭造形が簡単に現れ、立体感な効果が得られる。前後一対の板１、２に設けられた光透かし孔１４、２５は光線を縦に射出するので、輪郭造形に影響を与えない。光透かし孔１４、２５はピンホールや葉脈の筋の形をしているので、光線が射出した後、細かい筋を現す。射出光線は弱いので、目が刺激されて眩むようなことにはならない。
【図面の簡単な説明】
【００２０】
【図１】本考案の第１の実施の形態におけるクリスマス装飾ライトの分解斜視図
【図２】同クリスマス装飾ライトに使用される管状部材の断面図
【図３】同クリスマス装飾ライトに使用される保持部材の斜視図
【図４】同クリスマス装飾ライトの組立後の斜視図
【図５】同クリスマス装飾ライトの組立途中の斜視図
【図６】同クリスマス装飾ライトの組立後の断面図
【図７】同クリスマス装飾ライトの造形板の変更例を示す斜視図
【図８】本考案の第２の実施の形態におけるクリスマス装飾ライトの分解斜視図
【図９】同クリスマス装飾ライトの組立後の斜視図
【図１０】本考案の第３の実施の形態におけるクリスマス装飾ライトの分解斜視図
【図１１】同クリスマス装飾ライトの組立後の斜視図
【図１２】本考案の第４の実施の形態におけるクリスマス装飾ライトの分解斜視図
【図１３】同クリスマス装飾ライトの組立後の斜視図
【図１４】本考案のクリスマス装飾ライトの発光時の正面図
【図１５】同クリスマス装飾ライトの発光時の斜視図
【符号の説明】
【００２１】
１０  クリスマス装飾ライト
１  前側造形板
１２  凸状部
１３  補助突起
１４光透かし孔
１１  管状部材
２  後側造形板
２１  管状部材
２２  固定軸
２３  凸状部
２４  補助突起
２５  光透かし孔
３  保持部材
３１  固定軸挿入口
４  発光体
４１  コード
４２  プラグ
５  台座
５０１  取付溝
５１  台座
５１１  挿入孔
６  挿入棒
５２  平行棒
５２１  挿入孔
５３  台座
５３１  挿入溝
５３２  補助挿入孔５３２
５３３  底蓋５３３
５４  台座
５４ａ  挟み台
５４ｂ  挟み台
５４１  ブロック
５４２  挟持形式のホルダー
【図１】
0003111635.tif 000003
【図２】
0003111635.tif 000004
【図３】
0003111635.tif 000005
【図４】
0003111635.tif 000006
【図５】
0003111635.tif 000007
【図６】
0003111635.tif 000008
【図７】
0003111635.tif 000009
【図８】
0003111635.tif 000010
【図９】
0003111635.tif 000011
【図１０】
0003111635.tif 000012
【図１１】
0003111635.tif 000013
【図１２】
0003111635.tif 000014
【図１３】
0003111635.tif 000015
【図１４】
0003111635.tif 000016
【図１５】
0003111635.tif 000017